Podtech/llm-jp-corpus-v4-ja_patent huggingface dataset:
(57)【要約】      （修正有）【課題】日常生活の僅な時間で簡単に肺活力と肺活量を鍛えて健全な呼吸循環機能を維持するために深呼吸の、リハビリを行なうのが目的である。【解決手段】息を吹くと回数１と表示され、吸うと、２と表示される、これを繰り返すと加算表示されて行く、一方風量数は、左、右回転に関係なく、別に加算表示されて行く、この風量数を回数で割ると、１回の吹く量、又は吸う量となる、この数字を、２倍すると、１深呼吸風量（吹く、吸う）となる、この結果本試作品の場合、１深呼吸風量が、１００未満は肺活力、量が衰えている、１００以上１５０未満は普通、１５０以上は良好と仮定した、発明者は当初１００未満であったが、現在は、１４０以上１６０未満を維持出来るようになり深呼吸のリハビリ、の必要性を解決出来た。【選択図】  図５
2004358200.tif 000002
【特許請求の範囲】
【請求項１】
深呼吸を繰り返すことにより（２）の風力が、左、右、と回転する回数と風量を、それぞれ数字で表示するために（１７）の表示器に通電する仕組。
【発明の詳細な説明】
【０００１】
（発明の属する技術分野）
この発明は息を吹き込む、そして吸う回数と共に呼吸風量も同時に、それぞれ数字で表示されて行き肺活力、及び肺活量の、リハビリ、とを自己管理出来る簡便な技術に関するものである。
【０００２】
（従来の技術）
大きな病院には水圧式らしい固定した呼吸リハビリ器機がある。グラフ式で風量が表示される、それで自然と衰えて行く呼吸循環機能と共に肺活力、量、を自分で、リハビリ及び管理出来る保健器具は市場に存在していないので本発明と比較する技術はない。
【０００３】
（発明が解決しようとする課題）
肺活力を日常生活に、おいて自己管理出来る保健器具が市場では入手出来ないため著しく呼吸循環機能が弱っているのに気が付かず受診して始めて呼吸循環活力を取り戻すため通院して肺活力及び肺活量の、リハビリを受けている。それで誰でも自然に衰えて行く肺活力、量を日常生活の僅かな時間で、リハビリと共に肺活力、量を自分で管理出来る本発明を試作、試用を続けている。
【０００４】
（課題を解決するための手段）
深呼吸風量と回数を（１７）に数字で表示するために（１）から息を吹き入れる、又は吸うと（２）の風車が左、右、に回転する。この場合（２）に固定した（４）と（３）も同時に回転する。息を吹き入れると図１の如く（５）が作動して図の状態となる。そして（７）が（８）を押して（９）と離れる。息を吸うと（２）が逆回転して図２の状態となる。この時（６）の（５）が（４）の（１０）を図３の状態で通過するが、この時は（７）が作用しないので（８）と（９）のスイッチ板が接触して同通となり（２）の風車の左、右回転数として（１７）の表示器にその都度通電表示される、次に図４は呼吸風量を表示させる図であり（３）を（１１）の形状にして、スイッチ板入力の抵抗を少なくした、（２）が左、右と回転中は（１２）と（１３）は断続的に接触して（１７）に風量数字として通電表示する、表示器は市場に出廻っている歩数計を改造して利用しているが、上記説明の如くに試作した結果、表示される数字を自分で見ながらでも深呼吸を繰り返すことが出来るので呼吸循環機能の、リハビリ及び自己管理に簡便で最適な結果を得られた。
【０００５】
（発明の実施の形態）
本発明は以上のような構成であるから、図６の（１）から深呼吸をする要領を繰り返すのみで（１７）に数字で呼吸回数と呼吸風量がそれぞれ表示されて行くのを見ながらでも自己管理出来るのである、本発明を実施するため最初２枚の歯車を使用したが結局歯車１枚でも同じ効果が得られ、そして小形で、コスト安となる。
【０００６】
（発明の効果）
誰でも気が付かないまゝ呼吸機能が衰えて行くのである、その結果階段の昇降や長距離散歩なども息苦しくなり、ほってをくと肺機能全体が弱ってしまう、それで肺機能の衰退を防ぐためには、肺活力と肺活量を鍛える事により行動力も強くなることに気付き、市場にはないため、本発明を試作して毎日深呼吸の目標回数を設定して続けた、その結果現在は階段の昇降と長距離散歩にも息苦しさや、動悸が全くなくなった、又好きなカラオケも途中息切れなく滑らかに歌うことも出来るようになった、当然行動力も積極的となった、それで毎日目標回数を設定して、呼吸リハビリを日課にして自己管理している。
【図面の簡単な説明】
【図１】風車が左回転の左側面図
【図２】風車が右回転の左側面図
【図３】指示板の溝を梃子板の円棒が通過する状態の左側面図
【図４】本発明の右側面図
【図５】本発明の正面図
【図６】本発明の使用状態図
【符号の説明】
（１）    深呼吸パイプ
（２）    風車
（３）    風車軸
（４）    指示板
（５）    円棒
（６）    梃子板
（７）    円棒
（８）    回数スイッチ板
（９）    回数スイッチ板
（１０）  指示板溝
（１１）  スイッチ入力突起
（１２）  風量スイッチ板
（１３）  風量スイッチ板
（１４）  円形風車囲い
（１５）  息出し入れパイプ
（１６）  本発明仕組のケース
（１７）  数字表示器
（１８）  （１６）に（１７）の差し込み部分
（１９）  梃子板軸棒
【図１】
2004358200.tif 000003
【図２】
2004358200.tif 000004
【図３】
2004358200.tif 000005
【図４】
2004358200.tif 000006
【図５】
2004358200.tif 000007
【図６】
2004358200.tif 000008
(57)【要約】【課題】従来は香水を携行できるアトマイザー等の容器には、バリエーションが少なく、強度も不安であった。それをジッポー型ライターに内蔵することにより、外装すなわち外観の選択肢を増やし、より強固で安全な携行を提供する。【解決手段】ジッポー型ライター（１）本来の内蔵部分と同様のヒンジ（３）を持った容器（２）を、ジッポー型ライターに内蔵できるような形状にしたことを特徴とする。【選択図】  図１
2004358195.tif 000002
【特許請求の範囲】
【請求項１】
ジッポー型ライターに内蔵できるアトマイザー
【発明の詳細な説明】
この発明はアトマイザーに代表される香水噴霧器の携行型容器をジッポー型ライターに内蔵できる形状にしたものである。
従来、アトマイザー等の香水を携行できる容器には色、デザイン、材質など外観において選択肢が少なかった。また容器の材質もガラスや樹脂などが主で、持ち運びの点で損壊の不安や危険性も考えられた。
本発明はこうした欠点を除くためになされたもので、図面について説明すれば、容器（２）の形状をジッポー型ライター（１）に内蔵できるようにしたものである。ヒンジ（３）は従来のジッポー型ライターのヒンジと形状を等しくするものであり、この容器の外装となるジッポー型ライターの蓋部分の円滑な開閉を促すものである。
本発明の外装部分はジッポー型ライターとなるために、ジッポー型ライターの数だけその外観は存在しうることとなる。構造は単純なはめ込み式であることから着脱も容易であり、気分や好み、ＴＰＯなどに合わせて入れ替えて楽しめる。また、本発明は内蔵型の容器であるから、結果的に２重構造となり、従来よりも衝撃等に対する強度も高く、破損の心配も少ない。
【図面の簡単な説明】
【図１】本発明の斜視図である。
【符号の説明】
１はジッポー型ライター  ２は容器  ３はヒンジ
【図１】
2004358195.tif 000003
(57)【要約】【課題】洗ったタオルを、すばやく型くずれしないように正確な折り目をつけて干すことができるようにする。【解決手段】タオル（１）の長い方の両へり（２）の中央に、盛り上がった形状の折り目マーク（３）を取り付ける。【選択図】  図１
2004358177.tif 000002
【特許請求の範囲】
【請求項１】
タオル（１）の、長い方の両へり（２）の中央に、盛り上がった形状の折り目マーク（３）を取り付けたタオル。
【発明の詳細な説明】
【０００１】
【発明が解決しようとする課題】
洗ったタオルを、型くずれしないように正確な折り目をつけて干そうとするとき、従来のタオルでは両へりの中央がなかなか決まらなくて手間がかかるという欠点があった。
【０００２】
【課題を解決するための手段】
上記の欠点を解決するために、タオル（１）の長い方の両へり（２）の中央に、盛り上がった形状の折り目マーク（３）を取り付けることにした。
【０００３】
折り目マークは、タオルにデザインとして生地と違った色彩で描く方法も考えられるが、違った色彩で描いたのでは、従来のタオルの純白のイメージや、また他のデザインの美観を損ねるおそれがあった。
【０００４】
そこで、本発明の折り目マークは、生地と同色の糸をを幾重にも巻くか、または同色の布地の小片を縫い込んで盛り上がった形状にし、指で容易に発見できる硬度と大きさにした。そうすれば、一般の人々だけでなく、目の不自由な人もタオルを自由に扱うことができる。また、目の不自由な人が容易に表裏の判断がつくように、表側を盛り上げた形状にするとよい。
【０００５】
また、この折り目マークにデザイン的要素を加えるとすれば、図６に示したようにハート型に盛り上がった形状にするのもおもしろい。
【０００６】
【考案の効果】
本考案品のタオルを洗って、タオルかけに掛けて干すとき、容易にへりの中央が判断できるので、タオルの型くずれを防ぎ、あとですばやく美的に折りたたむことができる。またすでに型くずれしたタオルであっても、折り目の位置を見つけることが容易なので正確にたたみやすい。さらに目の不自由な人が扱うときでも、型くずれしないよう正確に干したり、表裏を見分けたり、折りたたんだり、することができる。
【図面の簡単な説明】
【図１】折り目マーク付きタオルの平面図である。
【図２】折り目マーク付きタオルの側面図である。
【図３】折り目マーク付きタオルの正面図である。
【図４】平面図の折り目マークを拡大した図である。
【図５】側面図の折り目マークを拡大した図である。
【図６】平面図の折り目マークをハート型にした拡大図である。
【符号の説明】
１  タオル
２  タオルの長い方の両へり
３、３ａ  折り目マーク
【図１】
2004358177.tif 000003
【図２】
2004358177.tif 000004
【図３】
2004358177.tif 000005
【図４】
2004358177.tif 000006
【図５】
2004358177.tif 000007
【図６】
2004358177.tif 000008
【手続補正書】
【提出日】平成15年6月6日(2003.6.6)
【手続補正１】
【補正対象書類名】明細書
【補正対象項目名】０００４
【補正方法】変更
【補正の内容】
【０００４】そこで、本発明のタオルの折り目マークは、生地と同色の糸を幾重にも巻くか、または同色の布地の小片を縫い込んで盛り上がった形状にし、指で容易に発見できる硬度と大きさにした。そうすれば、一般の人々だけでなく、目の不自由な人もタオルを自由に扱うことができる。また、目の不自由な人が容易に表裏の判断がつくように、タオルの表側を盛り上げた形状にするとよい。


【手続補正２】
【補正対象書類名】明細書
【補正対象項目名】０００６
【補正方法】変更
【補正の内容】
【発明の効果】本発明品のタオルを洗って、タオルかけに掛けて干すとき、容易にへりの中央が判断できるので、タオルの型くずれを防ぎ、あとですばやく美的に折りたたむことができる。またすでに型くずれしたタオルであっても、折り目の位置を見つけることが容易なので正確にたたみやすい。さらに目の不自由な人が扱うときでも、型くずれしないよう正確に干したり、表裏を見分けたり、折りたたんだり、することができる。
(57)【要約】【課題】大半のアマチュアゴルファーの上達を妨げている最大の要因は、従来の練習場のマットの形状にあるといっても過言ではない。何故ならマットの形状、直線のセンターラインに惑わされ、手を直線に振るイメージが身に付きやすい。その結果、振り抜く際、体と腕、手、しいてはクラブヘッドが離れて、手打ちとなり、スピードの出ない弱々しいものとなる。元来、ゴルフスウィングは体と腕、手は常に連結を保っていなくてはならないものである。それを可能としたのがナチュラルスウィングマットである。視覚に訴え正しいスウィングを体得できる手段とし、アマチュアゴルファーの技術向上及びスコアアップに貢献できるものである。【選択図】  図２
2004358176.tif 000002
【特許請求の範囲】
【請求項１】
クラブヘッドの正しい動きをマットの形状及びセンターラインで示した。
【請求項２】
又、右手の動きをマットと連結させて印した。
【請求項３】
左利き用としては、反転させて使用する。
【発明の詳細な説明】
【０００１】
【発明の属する技術分野】
本発明は、グラブヘッドの正しい振り抜き方を明示し、アマチュアゴルファーの技術向上をめざす。
【０００２】
【従来のマット】
従来のマットは形状もセンターラインも直線であるので、大半のアマチュアゴルファーは形状及びセンターラインに沿ってゴルフクラブを振ろうとする、そこに上達を阻む大きな要因があった。
【発明が解決しようとする課題】
レッスンプロがクラブを左へ振れと云うが、ボールの置かれている眼前のマットの形状及びセンターラインが直線である為、視覚からの錯覚によりスウィングの勘違いを生じ、プロの指導のように左へは振れないのがアマチュアゴルファーの大半です。
【０００３】
本発明のマットではクラブヘッドの軌道及び右手の動きが明示されているので、容易に正しい練習ができ、ベストスウィングを体得できる。
【０００４】
【課題を解決するための手段】
本発明マットは、マットの形状を正しいクラブのヘッドの軌道に合わせ曲状にした。
【０００５】
又、右手の動きをマットと連結させて印すことにより、アドレス時、インパクト時、特にフォロースルー時の正しい位置関係、向きを視覚で納得させるものとした。
【０００６】
【発明の実施の形態】
従来型マットと本マットを図で見ると良く判るが、本マットはクラブヘッドの軌道を形状及びセンターラインで示し、右手の動きと向きを印すことにより、正しい回転運動が自然に身につくように考案した。
【０００７】
【発明効果】
正しいスウィングを単独で習得できるものである。
【０００８】
クラブベッド及び右手の動きを示されている通りにすると、ボールは目標に向かって真直ぐに飛ぶようになる。
【０００９】
アイアン及びフェアウェーウッドのショットは番手ごとの打球の高さが得られ総じて、打球は高く上がるようになる。
【００１０】
又、フィニッシュもぴたりと決まるようになる。
【００１１】
ドライバーショットも体と腕が連結されて動くようになる為、体の回転及びヘッドスピードが速くなるので、飛距離も伸びるようになる。
【００１２】
又、少々スウィング軌道が外から入った場合はフェードボール（スライス系）。インから入るとドローボール（フック系）となる。
【図面の簡単な説明】
【図１】従来型マット
センターラインが直線
手前がアイアン用、先はドライバー用
【図２】ナチュラルスウィングマット
マットの形状、センターラインを曲線とする。
手前がアイアン用、先はドライバー用
【符号の説明】
Ａ  アドレス時の右手
Ｂ  インパクト時の右手
Ｃ  フォロースルー時の右手
【図１】
2004358176.tif 000003
【図２】
2004358176.tif 000004
(57)【要約】【目  的】床面洗浄機のスクイジー後方ブレードの磨耗を抑える。【構  成】従来はスクイジー内に取り込まれた汚水をスクイジーフレームの中央部から回収していた。本発明のスクイジーでは、スクイジー内に取り込んだ汚水をスクイジーの左右両端部から回収する。その結果、後方ブレードは常に汚水に接し、磨耗を抑えことが出来た。【選択図】図１
2004358178.tif 000002
【特許請求の範囲】
【請求項１】
床面の汚水をファンの吸引作用によって汚水タンクに回収するスクイジーにおいて、スクイジーフレームの前後及び両端にブレードを設け、床面・スクイジーフレーム下面・前後ブレード及び両端ブレードで囲まれた空間から汚水タンクに通じる開口部をスクイジーフレームの両端に設けたことを特徴とするスクイジー。
【発明の詳細な説明】
【産業上の利用分野】
本発明はファンの吸引力で床面の汚水を回収する湿式掃除機及び床洗浄機のスクイジーに関するものである。
【従来の技術】
床洗浄機は前方のブラシは水の供給を得ながら床面を洗浄し後方に汚水を残しながら進み、後方のスクイジー内部に取り込む。取り込まれた汚水はスクイジーフレーム中央の開口部から汚水タンクに回収される。
【発明が解決しようとする課題】
床洗浄機は通常直進して用い、その後方向変換しまた直進する。
そこで、床洗浄機が方向変換するとき汚水を確実に回収できるように、スクイジーの幅はブラシの洗浄幅よりも広い。
そのため、汚水に触れる時間の短い両端部の後方ブレード先端は、汚水に触れる時間の長い中央部の後方ブレード先端に比べ磨耗が激しい。
両端部の後方ブレード先端の磨耗によりスクイジー性能は早く低下する。
凹凸の激しい床面で用いる場合は顕著である。
【課題を解決するための手段】
前記の課題を解決するために本発明で講じた手段は以下のようである。
後方ブレード先端が常に汚水に触れるように下記の構造とする。
１）従来と同様に、スクイジーフレーム１に前方ブレード２及び後方ブレード３を取り付ける。
２）スクイジーフレーム１の両端に、端部ブレード４を取り付ける。
３）スクイジーフレーム１を貫通する端部ホース９をスクイジーフレーム１の両端に設ける。
４）端部ホース９を左右ホース５と接続し、続いてホース接続部品１０、汚水タンクに通じるホース６へと接続する。
【作用】
スクイジー内部での空気及び汚水の流れを説明する。
ブラシ７で床面を洗浄し生じた床面の汚水８はスクイジー中央部よりスクイジー内部に取り込まれる。取り込まれた汚水は空気の流れと共に左右に分かれて、汚水タンクに通じる両端の端部ホース９に向かう。そして、端部ホース９より左右ホース５、次にホース接続口部品１０で合流し、ホース６を通り汚水タンクに回収される。
上記の汚水の流れで分かるように後方ブレード先端は全て常に汚水と接するようになり、磨耗が抑えられる。
【実施例】
前述した構造以外の例を次に述べる。
汚水がスクイジーフレーム内を通って汚水タンクに回収される構造とする。
１）スクイジーフレーム１に仕切り板１４を設ける。
２）スクイジーフレーム１に前方ブレード２及び後方ブレード３を取り付ける。
３）スクイジーフレーム１の両端に端部ブレード４を取り付ける。
４）スクイジーフレーム下面１３の両端に開口部１５設ける。
５）スクイジーフレーム１の中央部にホース接続部品１１を設ける。
このとき、ホース接続部品の下部１２は仕切り板１４を貫通させる。
上記構造としたときの汚水の流れを説明する。
取り込まれた汚水は左右に分かれスクイジー両端の開口部１５に向かう。
開口部１５より、スクイジー内下段を通り、中央部のホース接続部品１１内を通過し、ホース６を経て汚水タンクに回収される。
【発明の効果】
スクイジーの性能低下が緩やかになる。
また、特開平１１−００９５１９、特開平１０−１４６３０５及び特開２０００−１２６１０４のスクイジーにおいては後方ブレードを床面に強く押し当てるようにしている。
この場合、特に本発明の効果は顕著である。
【図面の簡単な説明】
【図１】本発明スクイジーを取り付けた床洗浄幾の斜視図
【図２】本発明スクイジー端部の斜視図
【図３】本発明スクイジー（スクイジーフレーム内を汚水が通るタイプ）の斜視図
【図４】本発明スクイジー（スクイジーフレーム内を汚水が通るタイプ）端部の斜視図
【図５】本発明スクイジー（スクイジーフレーム内を汚水が通るタイプ）中央部の斜視図
【符号の説明】
１  スクイジーフレーム
２  前方ブレード
３  後方ブレード
４  端部ブレード
５  左右ホース
６  ホース
７  ブラシ
８  汚水
９  端部ホース
１０  ホース接続部品
１１  ホース接続部品（スクイジーフレーム内を汚水が通るタイプ）
１２  ホース接続部品（スクイジーフレーム内を汚水が通るタイプ）の下部
１３  スクイジーフレーム下面
１４  スクイジーフレーム仕切り板
１５  スクイジーフレーム下面の開口部
【図１】
2004358178.tif 000003
【図２】
2004358178.tif 000004
【図３】
2004358178.tif 000005
【図４】
2004358178.tif 000006
【図５】
2004358178.tif 000007
(57)【要約】【課題】棚板を移動して使用する大多数の収納箱（本棚、食器棚、キャビネット等々）の棚ダボに駒Ａ、駒Ｂ、又は何種類かの組合せの駒を装着することにより棚の空間の利便性を提供する。【解決手段】高さの違う駒数種類の中から同じ高さになる様４ヶ所分揃えて、それを棚ダボの上に置き、その上に棚板を乗せる事により棚の空間の利用範囲が増大したことを特徴とする。【選択図】  図５
2004358173.tif 000002
【特許請求の範囲】
【請求項１】
高さの違う数種類の駒を用いて、その駒の組み合わせにより高さの微調整が出来る棚ダボ（７）の上に装着する駒
【発明の詳細な説明】
【０００１】
【発明の属する技術分野】
この発明は、棚ダボの上に装着する駒に関するものである。
【０００２】
【従来の技術】
従来は、棚板を棚ダボと棚ダボの間隔（Ｐ）、又はＰ×２．又はＰ×３‥を移動する構造
【０００３】
【発明が解決しようとする課題】
棚板が従来の棚ダボ間の範囲のみの移動に限られた時、無駄な空間が出来やすく、収納しようとする物品の量が限られてくる。従って、無駄な空間を少なくして効率よく収納出来る様にして、前述の欠点を解消しようとするものである。
【０００４】
【課題を解決するための手段】
高さの違う駒Ａ、駒Ｂを何種類か製作し、１種類を単独で使用するか、または同じ高さの駒を重ねて使う方法、また高さの違う駒の組み合わせで使う事も出来る。
【０００５】
【作用】
その事により、棚板が駒１個分の高さと組み合わせた駒の高さとに上げる事ができる。
【０００６】
【発明の実施の形態】
棚ダボ（７）の上にプラスチック等適宜素材にて作られた駒Ａ又は駒Ｂを４ヶ所に乗せて棚板（５）を置く。この時、棚板（５）に駒Ａの突起部分に当るケ所が座グリを入れてある棚板は駒Ａを使用する。座グリの無い場合は、駒Ｂを使用する。又駒Ａ２個（３）を、又駒Ａと駒Ｂ（４）を、又駒の高さの違う何種類かを組み合わせて使用する事もできる。
【０００７】
【発明の効果】
棚ダボの上に駒Ａ又は駒Ｂ又は何種類かの組み合わせの駒を置くことにより、今迄棚ダボ取付孔間しか移動出来なかった棚板を駒の高さを決めることにより任意の高さに移動することが可能となった。それにより全体の段の間隔をより有効に使えるようになった。
【図面の簡単な説明】
【図１】本発明の駒Ａの斜視図である。
【図２】本発明の駒Ｂの斜視図である。
【図３】駒Ａを２個重ねた正面図である。
【図４】駒Ａと駒Ｂを重ねた正面図である。
【図５】本発明の駒Ａを装着し、棚板を乗せた使用時の斜視図である。
【符号の説明】
１．駒Ａの高さ
２．駒Ｂの高さ
３．駒Ａを２個重ねた高さ
４．駒Ａと駒Ｂを重ねた高さ
５．棚板
６．駒Ａ
７．棚ダボ
８．棚ダボ取付ネジ孔
９．棚ダボ取付ネジ孔の間隔（Ｐ）
【図１】
2004358173.tif 000003
【図２】
2004358173.tif 000004
【図３】
2004358173.tif 000005
【図４】
2004358173.tif 000006
【図５】
2004358173.tif 000007
(57)【要約】【課題】輪が飛散するのを防止し、且つ、収納が容易な輪投げを得る。【解決手段】台座２に的棒１を設け、台座四隅の下部に差込金具４を設け、その差込金具４に支持金具５の一端を差込み、各支持金具５の他端にネツト３の四隅を取り付けて、台座２の外周にネツト３を張設する。【選択図】            図１
2004358174.tif 000002
【特許請求の範囲】
【請求項１】
台座（２）に的棒（１）を立設し、台座（２）四隅の下部に差込金具（４）を設け、その差込金具（４）に支持金具（５）の一端を差込み、各支持金具（５）の他端に、ネツト（３）の四隅を取り付けて台座（２）の外周にネツト（３）を張設した飛散防止付輪投げ。
【請求項２】
的棒（１）の周囲に、四箇の折り畳み箱状袋（６）を配設した飛散防止付輪投げ。
【発明の詳細な説明】
【０００１】
【産業上の利用分野】
本発明は、主として老人施設等で使用する輪投げ遊具で、投擲した輪が四方八方に飛散するのを防止するようにし、且つ、組み立て可能で収納を容易にした輪投げに関するものである。
【０００２】
【従来の技術】
これまで輪投げは、台座に一本、又は複数の的棒を立設したものが知られているが、輪の飛散を防止できるようにしたものはなかつた。
【０００３】
【発明が解決しようとする課題】
多くの老人施設では、ヘルパー等の配置人員に余裕がないため、輪投げ遊具でプレイする場合は、一台の輪投げの周りを多くの人が囲んで、一勢に的棒めがけて輪を投擲してゲームをしている。そのため輪が四方八方に飛散するので、輪を集める手間と時間がかかつていた。また、これらの施設では、各種の遊具や運道具を沢山用意するため収納場所に困つていた。
【０００４】
本発明が解決しようとする課題は、輪投げの周りのどの方向から輪を投擲しても飛散しないようにし、輪を集める手間がかからないようにする点にある。更に、収納が容易なように少ない手間と時間で組み立てを可能とする点にある。
【０００５】
【課題を解決するための手段】
まず、本発明に係わる請求項１のものは、台座に的棒を立設し、台座の四隅の下部に差込金具を設け、その差込金具に支持金具の一端を差込み、各支持金具の他端にネツトの四隅を取り付けて、台座の外周にネツトを張設したものである。ネツトを張設する方法はどのようにしてもよいが、支持金具をくの字に形成し、ネツト外周が台座より高く、的棒の中間の位置になるようにするとよい。また、ネツトの四隅に袋部を設け、その袋部に支持金具を差し込んでネツトを張設する。更に、ネツト外周にゴムを縫着して張設するとよい。
【０００６】
次に、本発明に係わる請求項２のものは、的棒の周囲に四箇の折り畳み箱状袋を配設したものである。箱状の袋となるようにした各面は、底面は布だけで構成し、他の四面は、芯材をスチールの輪を骨組みにし布と組合せて縫着し、底面を含む五面を一体に構成して箱状の袋とする。そして、四箇の箱状の袋をひもで緊縛して一体化して、一箇の箱体の袋にするとよい。そして、一体化した箱体の袋の中心に的棒を取り付けるとよい。
【０００７】
【作用】
本発明に係わる飛散防止付輪投げは、次のように使用する。四本の支持金具を差込金具に差し込んで、ネツトの四隅の袋部に支持金具の他端を差し込めば、ネツトは張設され使用状態になる。投擲した輪が的棒を外れてもネツトに落下して飛散は防止される。この場合、ネツトにクツシヨン性を保持させるため、ネツトが床に接触しないよう台座を箱等にのせて使用するとよい。収納するときは、前記した動作の逆をするとよい。
【０００８】
本発明に係わる飛散防止付輪投げの、的棒の周りに四箇の折り畳み箱状の袋を設けているものは、次のように使用する。円柱状の的棒を四箇の折り畳み箱状の袋の交点、すなわち、中心に差込み、その的棒に輪を投擲し、輪が外れた場合は、いずれかの袋の中に落下するので飛散しない。収納する場合は、的棒を抜いて四箇の折り畳み箱状の袋を折り畳むとよい。各折り畳み箱状の袋の底面は布だけで構成されており、他の各面は、円形のスチールの芯と布だけで構成されているので容易に折り畳むことができる。
【実施例】
実施例１
本発明の実施例１を、図１及び図２に基づいて説明する。図１及び図２は、それぞれ実施例１のものの構造及び作用を示す斜視図である。１は、円柱形状の的棒を示している。そして、的棒１は、四角形状の台座２の中心に立設している。台座２の四隅の下部に差込金具４を取り付けている。差込金具４には支持金具５の断面形状より大きめで先止まりの溝９を形成している。別途用意した、くの字形状の支持金具５の他端を各差込金具４に差し込んで支持金具５を配設している。次に、周囲にゴムひもを縫着した四角形状のネツト３を用意し、ネツト３の四隅に設けた袋部１０に、差込金具４の他端を差し込んでネツト３を張設している。
実施例２
実施例２を図３及び図４、図５に基づいて説明する。
図３は実施例２を示す正面参考図である。図４は実施例２を示す平面参考図である。図５は一箇の箱状の袋を示す斜視図である。実施例２のものにおいては、的棒１の周りに四箇の折り畳み箱状袋６を、紐で緊縛して一箇の箱体の袋を形成している。夫々の折り畳み箱状袋６は、底面は布だけで、他の四面は、四箇のスチール輪７を芯材にして布で縫着して箱状の袋を構成している。一体化した四箇の袋の交点に的棒１を差し込んで輪投げとしている。
【０００９】
【発明の効果】
本発明に係わる飛散防止付輪投げを使用するときは、どの方向から投擲して輪が的棒を外れても、周囲に飛散することはない。したがつて、輪を集める手間、時間はかからない。また、ネツトを張設したものは、着脱自在であり、折り畳み箱状袋を配設したものは、折り畳み可能なので容易に収納できる。
【図面の簡単な説明】
【図１】実施例１の構造を示す斜視図である。
【図２】差込金具と支持金具の構造と作用を示す参考図である。
【図３】実施例２を示す正面参考図である。
【図４】実施例２を示す平面参考図である。
【図５】一箇の箱状の袋を示す斜視図である。
【図６】従来の輪投げを示す斜視図である。
【符号の説明】
１  的棒
２  台座
３  ネツト
４  差込金具
５  支持金具
６  折り畳み箱状袋
７  スチール輪
８  布
９  溝
１０  袋部
【図１】
2004358174.tif 000003
【図２】
2004358174.tif 000004
【図３】
2004358174.tif 000005
【図４】
2004358174.tif 000006
【図５】
2004358174.tif 000007
【図６】
2004358174.tif 000008
(57)【要約】【課題】封筒の中に新聞代金や伝言等を入れた収納袋１が他のものと混ざったり仕舞い忘れたりすることが起きないものを、家庭にある便箋の表紙やレポート用紙の表紙と封筒等で簡単に作ることができる用紙綴りの表紙を提供するものである。【解決手段】表表紙２を折り返して裏表紙４に固定することによって収納袋１の基台５を形成するその折り返し位置を、便箋用紙やレポート用紙等の用紙綴り表紙に、線、点線、三角や点等の目印となる印部３を設ける。また、収納袋１を作成する手順の説明と印部３を、表紙に記載するか別紙を添付する。【選択図】          図１
2004358106.tif 000002
【特許請求の範囲】
【請求項１】
便箋用紙やレポート用紙等の用紙綴りの表紙であって、その表表紙（２）を折り返して裏表紙（４）に固定することによって収納袋（１）の基台（５）を形成するその折り返し位置に、点、線、記号等による印部（３）を設けたことを特徴とする用紙綴りの表紙。
【請求項２】
収納袋（１）を作成する手順の説明を、表紙に設けたことを特徴とする請求項１記載の用紙綴りの表紙。
【発明の詳細な説明】
【０００１】
【発明の属する技術分野】
この発明は、便箋用紙やレポート用紙等を綴った表紙と封筒等の袋によって、収納袋を形成する用紙綴りの表紙に関するものである。
【０００２】
【従来の技術】
従来の収納袋においては、その収納袋の下側に底部を設け、その上方向には収納物を出し入れする開口部と蓋部とが設けていて、そのままの状態で使用するものであった。
また、収納袋となる袋の底部が回動軸となる状態にして基台に固定し、中身を取り出すときに袋を逆立ちさせる特願２００１−２５５４８３号があった。
【０００３】
【特許文献１】
特願２００１−２５５４８３号公報
【０００４】
【発明が解決しようとする課題】
従来の袋のままで使用する収納袋としたものにあっては、その収納袋を引き出しの中や状差しの中に入れたりするので、他のものと一緒に混ざったり仕舞い忘れたり、その収納袋を必要なときに取り出すことが困難に成るものであった。
また、特願２００１−２５５４８３号公報のものでは、収納袋からのの取り出しが容易で手間の掛からない優れたものであるが、デパート等に行き、気に入ったものを色々と探す手間が面倒となる問題点があった。
【０００５】
【課題を解決するための手段】
本発明に係わる収納袋１は、何処の家庭にもある便箋用紙やレポート用紙等が綴じられている表紙から手軽に作ることが出来るものとしている。
すなわち、用紙綴りの表紙の表表紙２に折り返す線や点などの印部３を設け、その印部３に沿って表表紙２を折り返して裏表紙４に固定することによって収納袋１の基台５を形成するものとしている。
そして、この基台５の下辺に、収納袋１となる封筒６の下辺７を軸にしてその封筒６が回動可能状態に設ければ、封筒６の開口部８が表表紙２の折り返した部分の係止部９によって掛け止めることが出来るものと成り、収納袋１を作ることが出来るものとしている。
このような収納袋１を作成する手順の説明を、裏表紙４や表表紙２に印刷したり説明紙片を貼るなどしたりしておくと、今までに捨てられていたものが有効に使えるものとなる。
【０００６】
【発明の実施の形態】
本発明に係わる実施の形態の一つとしては、図１に示すように、便箋用紙の表表紙２の裏面に表表紙２を折り返す位置を示す線による印部３を設けたものとしている。そして、図２に示すように、表表紙２を印部３から折り返し、更に裏表紙４に重ねて折り返し、その表表紙２をステイプラーの針１０によって裏表紙４に固定することで基台５が形成され、その裏表紙４の上になって折り返された表表紙２によって係止部９が設けられているものとしている。
表表紙２を裏表紙４にステイプラーの針１０によって固定する他に、鳩目等によって固定することも考えられ、折り返された表表紙２の内側に吊り下げ紐を設けることが出来るものである。鳩目もフックに掛けることが出来るものである。
この基台５の下辺と収納袋１となる封筒６の下辺７とを粘着テープ１１等で貼り付け、封筒６の開口部８が上下に回動出来る状態としたことによって収納袋１を形成している。
【０００７】
本発明に係わる収納袋１を使用するときには，新聞代金や家族への伝言などを封筒６の中に入れて開口部８を係止部９に差し込み、その基台５を玄関や台所、それに冷蔵庫の扉などの目立つ所に取り付けて置くものである。
この封筒６の表面には、用件やあて先等を書いて置くと利用し易く、開口部８が下向きに垂れ下がっているときには用件等が無いことも分かるものである。
この折り返す部分を示す線による印部３は、表表紙２だけでなく，裏表紙４に設けることが考えられ、また、線を点線や両縁だけに丸，三角，四角等による印部３とすることも考えられる。
【０００８】
封筒６には様々な高さのものが存在しているものであるから、基台５の下辺から係止部９を形成する折り返し部分の印部３までの位置を一つだけでなく、存在する封筒６の長さに合わせた印部３を表紙に複数設けておくことが考えられる。
プチ封筒６を縦に並べて収納袋１を作るときには、図３に示すように、上になる封筒６の底より上となる部分にもう一つの底を形成し、その幅のある底部分１２を係止部９として働かせるものにすることが考えられるものである。
【０００９】
【発明の効果】
本発明に係わる用紙綴りの表紙は、印部３に沿って折り返し、ステイプラーと粘着テープと封筒があれば収納袋１が手軽に完成させることが出来る。
この手軽に出来た収納袋１は、引出しの中や状差しの中に入って他のものと混ざることがなく、収納袋１の中に収納物や伝言が有るか無いかということが、封筒６の逆立ち状態で一目で判断することが出来るものである。
この収納袋１から収納物を取り出すときには、収納袋１を逆さに回転させるものであるから、高齢者や指先の動きが悪い人でも収納部３からの取り出しが容易となり、使用能率が優れたものとなる。
また、収納袋の紛失することがなくなって、管理状態が非常に容易となる。
【図面の簡単な説明】
【図１】本発明に係わる実施の形態の表紙を示す斜視図である。
【図２】本発明に係わる用紙綴りの表紙によって作成した収納袋を示す斜視図である。
【図３】封筒の底より上となる底部分を係止部とした収納袋を示す斜視図である。
【符号の説明】
１  収納袋
２  表表紙
３  印部
４  裏表紙
５  基台
６  封筒
７  下辺
８  開口部
９  係止部
１０  ステイプラーの針
１１  粘着テープ
１２  底部分
【図１】
2004358106.tif 000003
【図２】
2004358106.tif 000004
【図３】
2004358106.tif 000005
(57)【要約】【課題】小人数家庭や一人暮らしで、一杯分のコーヒー又は紅茶、緑茶等を水又湯を注いで抽出する際、手間や時間をかけることなく残留塩素等の有害物質を吸着、除去し、香り、味ともに純粋なコーヒーや紅茶、緑茶等を楽しむことを可能とする。【解決手段】活性炭を漉き込んだシート状活性炭フィルターとそれを用いる抽出カップを用い、一杯分の飲料を抽出する際に同時に水道水中の残留塩素等の有害物質等を吸着、除去する。【選択図】      図１
2004358129.tif 000002
【特許請求の範囲】
【請求項１】
飲料を抽出する際、抽出カップの上部に被せて用いる抽出用フィルターであって、活性炭を漉き込んだ不織布または濾紙によって構成されたことを特徴とするシート状活性炭フィルター。
【請求項２】
請求項１記載のシート状活性炭フィルターを被せて使用する上面に取っ手を有し、底部に抽出口を有する抽出カップであって、前記取っ手の上面に粘着材等を設けたことを特徴とする抽出カップ。
【発明の詳細な説明】
【０００１】
【発明の属する技術分野】
本発明は、水又は湯を注いでコーヒーや紅茶、緑茶等を抽出する際のシート状活性炭フィルター及びそれを用いる抽出カップに関する。
【０００２】
【従来の技術】
抽出カップ内に入れた茶葉やコーヒー粉末の成分を抽出するドリップ式は、一般に旨みを出す方法として好適であると広く知られおり、健康指向が広く意識されるようになってから一般家庭では、水道水でコーヒーや紅茶、緑茶等の飲料を抽出する際、水又は湯を注ぐ前に水道水中の残留塩素等の有害物質を吸着、除去するため浄水機を取りつける等何らかの処理がされる。
【０００３】
その一つの方法としてドリップ式コーヒーメーカー等の水槽内に取りつける活性炭フィルターがある。（例えば、特許文献１参照）また、小人数家庭や一人暮らしが増加している昨今では、一杯分のみ抽出できる使い捨ての紙フィルターが市場に出ている。（例えば、特許文献２、特許文献３参照）
【０００４】
【特許文献１】実開平６−４５６１１号公報  （第３頁）
【特許文献２】特開２００２−１０２０７０号公報  （第２頁−第４頁、第７頁、    図３）
【特許文献３】特開平５−１１５３７７号公報  （第２頁−第３頁）
【０００５】
【発明が解決しようとする課題】
しかし、実際には小人数家庭や一人暮らしでは、浄水機等やコーヒーメーカーなどのフィルターを取りかえるという作業や、浄水機内、水槽内の清掃など手間や時間もかけられずおろそかになりがちである。また、水道水を容器に汲みその中に浄水効果のあるものを入れ水道水中の残留塩素等の有害物質を吸着、除去するという方法も手間、時間共にかかり、その上、取りかえるタイミングがわかりにくい。
【０００６】
コーヒーメーカーを用いて一杯分のコーヒーをその分だけ抽出するのは困難である。その為、特許文献２記載のようなあらかじめコーヒー粉末が充填された紙フィルター等を使用する機会が多くなるが、充填されたコーヒー粉末の量が決まっているために紙フィルターの下にセットするカップ等のサイズを変えることによって好みの濃さに抽出するしかなく、また紙フィルターの下にセットするカップ等の形、例えば上部に丸みがかかったような形、によって不安定にセットされるか又はセットできない場合がある。
【０００７】
また特許文献２、特許文献３記載のような紙フィルターでは、やはり飲料を抽出する前に水道水に何らかの処理をしなければ、水道水中の残留塩素等の有害物質を吸着・除去できない。
【０００８】
【課題を解決するための手段】
飲料を抽出する際、抽出カップの上部に被せて用いる抽出用フィルターであって、活性炭を漉き込んだ不織布または濾紙によって構成されており、抽出カップはシート状活性炭フィルターを被せて使用する上面に取っ手を有し、底部に抽出口を有する抽出カップであって、前記取っ手の上面に粘着材等を設けたことを特徴とする。その為、一杯分の飲料を抽出すると同時に水道水中の残留塩素等の有害物質を吸着、除去することが可能である。
【０００９】
【発明の実施の形態】
以下、本発明のシート状活性炭フィルター及びそれを用いる抽出カップの具体的な実施の形態について実施例を示す図面を参照して詳細に説明する。
【００１０】
シート状活性炭フィルター１は図１に示すように細かく砕いた活性炭２を漉き込んである。シート状活性炭フィルター１は通水抵抗の少ない不織布又は濾紙３で構成され、溶融繊維等で強度を出す。細かく砕いた活性炭２は不織布又は濾紙３の坪量の約１０％から２０％で、大きさは０．５ｍｍ以下が好ましい。
【００１１】
活性炭２を０．５ｍｍ以上にすると、不織布又は濾紙３の中に漉き込めず、活性炭２がポロポロと落ちる。０．５ｍｍ以下であれば、不織布又は濾紙３の中に漉き込め、水道水中の残留塩素等の有害物質を吸着、除去するのにも最適である。
【００１２】
また、活性炭２を不織布又は濾紙３の坪量の約１０％以下にしたものと、１０％から２０％にしたもの、２０％以上にしたもので実際に緑茶とコーヒーをそれぞれに抽出し試飲してみたところ、１０％から２０％にしたものが一番味が純粋で美味しかったと感想をもった人が多かった。
【００１３】
抽出カップ４は、シート状活性炭フィルター１を被せて使用するために、上面に取っ手５を設け、粘着剤等６をその取っ手５の上面に設ける。また取っ手５は抽出を終え、抽出カップ４を取り出す際に使用すると、手を汚さずにシート状活性炭フィルター１や抽出カップ４を片付けることができる。抽出カップ４の底部には、抽出口７を開けておきその上を紙フィルター８で覆う。この紙フィルター８は通水抵抗のない不織布又は濾紙である。
【００１４】
本発明のシート状活性炭フィルターとそれを用いる抽出カップを使用する時は、抽出カップ４内に茶葉またはコーヒー粉末等を好みの量を入れ、マグカップや湯のみの上にセットする。その上にシート状活性炭フィルター１を被せ、取っ手５の粘着剤等６に合わせて貼りつける。シート状活性炭フィルター１の上から注がれた水又は湯は、茶葉又はコーヒー粉末を通って、抽出口７からマグカップや湯のみに抽出される。
【００１５】
【実施例】
針葉樹のクラフトパルプを１０グラム用い、溶融繊維を１グラム混ぜ、０．５ｍｍ以下の活性炭を２グラム漉き込んだものを、実際に使用してみた。活性炭により水道水のカルキ臭が吸着、除去され非常に香り高いコーヒーが抽出できた。
【発明の効果】
シート状活性炭フィルターに漉き込まれた活性炭により、コーヒーや紅茶、緑茶等を抽出すると同時に、水道水に含まれる残留塩素等の有害物質等は吸着、除去されるため、コーヒーや紅茶、緑茶等の純粋な味や香りを楽しむことが可能になり、事前に水道水に何らかの処理をする手間や時間を省くことができる。抽出カップは取っ手を設け、その上面にシート状活性炭フィルターを粘着剤等で貼りつけるので、コーヒーや紅茶、緑茶等を実際に抽出する際、シート状活性炭フィルターはずれることなく、また抽出を終えた後には前記取っ手を手でつまんで、手を汚さずにシート状活性炭フィルターや抽出カップを処理することが可能である。
【図面の簡単な説明】
【図１】本発明シート状活性炭フィルターとそれを用いる抽出カップを用いた分解斜視図である。
【符号の説明】
１シート状活性炭フィルター
２活性炭
３不織布又は濾紙
４抽出カップ
５取っ手
６粘着剤等
７抽出口
８紙フィルター
【図１】
2004358129.tif 000003
(57)【要約】【課題】カメラ付携帯電話を水中や水のあるところでも撮影可能にする汎用の防水ケースを提供する。【解決手段】防水ケース１の裏表、両面を透明で柔らかい素材にすることによって、カメラ部８と画面部６と操作部７を妨げることなく、水のあるところでもカメラ付携帯電話２を通常撮影時と同じように使用できるようにする。【選択図】図１
2004358181.tif 000002
【特許請求の範囲】
【請求項１】
カメラ付携帯電話２のカメラ部８、画面部６、操作部７の通常利用が可能なように、裏表の両面を透明で柔らかい素材で構成したことを特徴とする携帯電話用防水ケース。
【請求項２】
ひも５が引っ張られるとふた４の締まりが強くなり携帯電話２がケース１から出てしまうことを防ぐとともに、ジッパー３からケース１に水が入りにくくする補助的な働きをするひも通し兼用のふた４を特徴とする。
【発明の詳細な説明】
【０００１】
【発明の属する技術分野】
水中、水辺、雨の中でもカメラ付携帯電話を濡らさずに撮影を可能とする防水ケース。
【０００２】
【従来の技術】
従来、一般的なカメラの機種を特定する水中ハウジングや防水ケースはあったが、汎用の携帯電話のカメラを利用するための防水ケースはなかった。
【０００３】
【発明の実施の形態】
透明で防水性のあるケース１の中に携帯電話２を入れることにより、背面のカメラ部８と画面部６と操作部７の利用を妨げることなく浸水を防ぐことができる。また、ケース１を柔らかい素材にすることで簡単な構造でボタン操作を可能とする。
【０００４】
【発明の効果】
簡単な構造で携帯電話の機種を特定することなく、携帯電話のカメラで水中、水辺、雨の中でも携帯電話を濡らさずに撮影を可能とする。
【図面の簡単な説明】
【図１】本発明の使用状態を示す正面図である。
【図２】本発明の断面図である。
【符号の説明】
１、防水ケース
２、カメラ付携帯電話
３、ジッパー
４、ふた
５、ひも
６、画面部
７、操作部
８、カメラ部
【図１】
2004358181.tif 000003
【図２】
2004358181.tif 000004
(57)【要約】【課題】本発明は、凝りの症状の激しい部位に対して、安全に、楽に押圧できる押圧器を提供しようとすることにある。【解決手段】背中や肩など凝りで硬化した部位を左右両手で押圧する押圧具であって、押圧具中央側方より平棒状に突出した部分を利き腕側の人差し指・中指・薬指で支え持ち、その移行部の端が押圧する親指をあてがう位置としてあり、そこは体を押圧する部位の丁度真裏にして、親指を包み込む形でアーチ形の囲いを設ける。相対する腕側の手指でアーチ状を形成した囲いの上部を押さえて圧を加える事で左右両手を使用する押圧が可能となる。この押圧具の先端部は二俣に分岐した左右一対の、先端が楕円形の押圧部とよりなる押圧具である。【選択図】    図１
2004358140.tif 000002
【特許請求の範囲】
【請求項１】
背中や肩など凝りで硬化した部位を左右両手で押圧する押圧具であって、押圧具中央側方より平棒状に突出した部分を利き腕側の人差し指・中指・薬指で支え持ち、その移行部の端が押圧する親指をあてがう位置としてあり、そこは体を押圧する部位の丁度真裏にして、親指を包み込む形でアーチ形の囲いを設ける。相対する腕側の手指でアーチ状を形成した囲いの上部を押さえて圧を加える事で左右両手を使用する押圧が可能となる。この押圧具の先端部は二俣に分岐した左右一対の、先端が楕円形の押圧部とよりなる押圧具である。
【発明の詳細な説明】
【０００１】
【発明の属する技術分野】
この発明は施術するにあたり無理なく、強く押すことが出来、且つ、ずれることの少なくなる形状の押圧器に関する。
【０００２】
【従来の技術】
従来、押圧器には様々なものがある。なかでも圧点（凸部）の上に使用者が、仰向けに寝た状態で使用するものが多い。この場合凸部の数は２〜６個着いているものが多く見られる。その場合凸部１個に仰臥する形態の押圧器は無く、圧点２個のものが多い。２個ものでは脊柱を挟んでの使用が多く、安定性の上からも凸と凸の距離はあって、６〜８ｃｍほどの幅を有するのが一般的である。
【０００３】
その他にも、曲線状になったワイヤーの先端に突起物を設け、突起物を体の凝った部位につけ、対極するワイヤーの端を手で握り、上下動させる方法の押圧器もよく見受けられる。
【０００４】
【発明が解決しようとする問題点】
従来型の押圧部が球状のものはずれ易い。そこで、接地面を球状ではなく楕円形にして広くとると、今度は面積が広がる分だけ圧は弱まる。そのような観点から、力の流れを押圧部先端まで、効率よく伝達するために、圧を両手使用で中心に集め、重心を下げ且つ、押圧部を二俣に分岐することでずれにくい押圧器を提供することを課題とした。
【０００５】
【課題を解決するための手段】
上記課題を解決するために、この発明が提供する押圧具は背中や肩など凝りで硬化した部位を左右両手で押圧する押圧具であって、押圧具中央側方より平棒状に突出した部分を利き腕側の人差し指・中指・薬指で支え持ち、その移行部の端が押圧する親指をあてがう位置としてあり、そこは体を押圧する部位の丁度真裏にして、親指を包み込む形でアーチ形の囲いを設ける。相対する腕側の手指で、アーチ状を形成した囲いの上部を押さえて圧を加えることで左右両手を使用する押圧が可能となる。この押圧具の先端部は二俣に分岐した左右一対の、先端が楕円形の押圧部とよりなる押圧具。
【０００６】
【発明の実施の形態】
以下添付図面に従って実施例を説明する。図１の側面図に示すように２つの基本部分、すなわち、支える部Ａと、本体Ｂとよりなる。支える部Ａは本体Ｂを利き腕の人差し指・中指・薬指の３指で支え持つために、本体Ｂより斜め上方に突出した平板状の棒状態で、支える部Ａの端には更に滑りにくさをつける為に瘤状の隆起部Ａ▲１▼を設けることで、力を入れることなく簡単に持ち続けられる構造を成す。図２は図１の点線を引いた箇所、本体Ｂの横断面図である。
本体Ｂの上部の、押圧部ａはアーチ形を呈しており、そのアーチの中側の床部ａ▲１▼は、利き腕の親指を挿入して押圧し、アーチ形の外側の表部ａ▲２▼は、相対する腕側の手指で押圧する。これにより両手両腕の位置が、本体Ｂの垂直線上に重なる為、押圧する左右の腕の力を下方に向かって分散せずに加えられる構造と成る。本体Ｂの床部ａ▲１▼の真下に先端部ｂが位置しており、その先端部ｂは人体奥部への圧の浸透、押圧する該当部に対しての重要な接点となるので当たりを柔らかくする為に縁の部分は丸みをもたる。なお且つ先端部ｂの中間線上に鈍角の凹みを設ける。その結果先端部ｂの外形は２つの楕円球状が連なる形状となる。この先端の二俣に分岐した左右一対となる凹みこそ、硬く凝り固まって隆起した部位等に対しても接点が逃げない押圧が可能となり、しかも筋繊維の流れにも沿える、挟み込めるし、ずれにくい、という効果を得られる形状である。
【０００７】
【発明の効果】
上記のように本発明は、通常押圧の施術者が指先のみを使用して大変な労力を費やして行うと同様な技術動作を両手を上手く利用することで楽に施術でき、しかも指よりも大きい接点が、圧の当たりを優しくし、然も二俣に形成した先端部によって、ずれにくい押圧が可能となる。これは難しいと云われてきた指圧の術の圧方法を、だれでもが指先や腕の負担を軽減させ、且つ、ずれない垂直圧を会得出来る器具である。
【図面の簡単な説明】
【図１】は本押圧具の側面図である。
【図２】は本押圧具の断面図である。
【図３】は本押圧具の真下から見た図である。
【図４】は本押圧具の真上から見た図である。
【図５】は本押圧具を使用する状態を示す図で、
【図５▲１▼】は、利き腕側片方の握り位置を示し、
【図５▲２▼】は、両手使用で施術する状態を示す図である。
【符号の説明】
Ａ……支える部
Ｂ……本体
押圧部ａ……床部ａ▲１▼    表部ａ▲２▼
先端部ｂ
【図１】
2004358140.tif 000003
【図２】
2004358140.tif 000004
【図３】
2004358140.tif 000005
【図４】
2004358140.tif 000006
2004358140.tif 000007
2004358140.tif 000008